(57)【要約】【課題】  動画データのストーリー性を失わずに重要シーンを列挙し、再生可能な動画再生装置を提供すること。【解決手段】  上記課題を解決するために、例えば、字幕データを含む動画データを入力する入力部と、前記動画データ入力部により入力された動画データを表示するディスプレイと、前記入力部と前記ディスプレイとを制御するプロセッサとを備え、前記プロセッサは、前記動画データ入力部からの動画データの視聴時間を設定し、前記視聴時間と前記動画データの字幕情報とを用いて前記動画データを再構成し、前記ディスプレイは前記再構成された動画データを表示するように構成すればよい。 【選択図】  図４
2008053877.tif 000002
【特許請求の範囲】
【請求項１】
動画データを再生可能な動画再生装置であって、
動画データを入力する動画データ入力手段と、
該動画データにおいて台詞が喋られたシーンのデータを入力あるいは生成するシーンデータ入力／生成手段と、
再生するシーンを決定する際のパラメタを入力する再生シーン決定パラメタ入力手段と、
前記シーンデータ入力/生成手段により入力された前記シーンのデータ及び前記再生シーン決定パラメタ入力手段により入力された前記再生シーン決定パラメタを用いて再生シーンを決定する再生シーン決定手段と、
前記再生シーン決定手段により決定された再生シーンを出力する出力手段とを有することを特徴とする動画再生装置。
【請求項２】
請求項１に記載の動画再生装置であって、
前記シーンデータ入力／生成手段は、前記入力された動画データの字幕情報が表示されるシーンを判別し、該判別されたシーンのデータを該動画データから抽出することを特徴とする動画再生装置。
【請求項３】
請求項１又は２に記載の動画再生装置であって、
前記再生シーン決定パラメタ入力手段は、動画データの視聴時間に関するデータを入力し、前記再生シーン決定手段は、前記入力された視聴時間が前記シーンデータの総和時間よりも小さい場合に各シーンの長さを短くすることを特徴とする動画再生装置。
【請求項４】
請求項３記載の動画再生装置であって、
前記再生シーン決定手段は、前記視聴時間に関するデータに基づいて前記視聴時間内に再生シーンの時間の総和が収まるように再生するシーンを決定することを特徴とする動画再生装置。
【請求項５】
請求項１に記載の動画再生装置であって、
前記再生シーン決定パラメタ入力手段は、動画データの視聴時間に関するデータを入力し、前記再生シーン決定手段は、前記入力された視聴時間が前記シーンの総和時間よりも大きい場合に各シーンの長さを長くすることを特徴とする動画再生装置。
【請求項６】
請求項５記載の動画再生装置であって、
前記再生シーン決定手段は、前記視聴時間に関するデータに基づいて前記視聴時間に合致するように再生シーンを決定することを特徴とする動画再生装置。
【請求項７】
動画データを再生可能な動画再生方法であって、
動画データを入力し、
該動画データにおける台詞が喋られているシーンであるシーンデータを入力あるいは生成し、
再生するシーンを決定する際のパラメタを入力し、
前記シーンデータ及び前記パラメタに基づいて再生シーンを決定し、
前記決定された再生シーンを出力することを特徴とする動画再生方法。
【請求項８】
請求項７に記載の動画再生方法であって、
前記入力された動画データの字幕情報が表示されるシーンを判別し、該判別されたシーンを該動画データから抽出して再生シーンを決定することを特徴とする動画再生方法。
【請求項９】
請求項７に記載の動画再生方法であって、
前記パラメタは、動画データの視聴時間に関するデータとして入力され、
前記入力された視聴時間が前記シーンデータの総和時間よりも小さい場合に各シーンの長さを短くすることを特徴とする動画再生方法。
【請求項１０】
請求９記載の動画再生方法であって、
前記視聴時間に関するデータに基づいて前記視聴時間内に再生シーンの時間の総和が収まるように再生シーンを決定することを特徴とする動画再生方法。
【請求項１１】
請求項７に記載の動画再生方法であって、
前記パラメタは、動画データの視聴時間に関するデータとして入力され、
前記入力された視聴時間が前記シーンの総和時間よりも大きい場合に各シーンのデータの長さを長くすることを特徴とする動画再生方法。
【請求項１２】
請求項１１記載の動画再生方法であって、
前記視聴時間に関するデータに基づいて前記視聴時間に合致するように再生シーンを決定することを特徴とする動画再生方法。
【請求項１３】
字幕データを含む動画データを入力する入力部と、
前記動画データ入力部により入力された動画データを表示するディスプレイと、
前記入力部と前記ディスプレイとを制御するプロセッサとを備え、
前記プロセッサは、前記動画データ入力部からの動画データの視聴時間を設定し、前記視聴時間と前記動画データの字幕情報とを用いて前記動画データを再構成し、前記ディスプレイは前記再構成された動画データを表示することを特徴とする動画再生装置。
【請求項１４】
請求項１３記載の動画再生装置において、
前記プロセッサは、前記入力された動画データの中で前記字幕データを含むシーンを抽出し、前記視聴時間に基づいて前記字幕データを含むシーンの長さを調整することを特徴とする動画再生装置。
【請求項１５】
請求項１４記載の動画再生装置において、
前記視聴時間に関するデータを入力する視聴時間入力部を備え、
前記視聴時間に関するデータにより決定される視聴時間が前記字幕データを含むシーンの長さより大きい場合は前記字幕データを含むシーンを前記視聴時間に合わせるように短くし、前記視聴時間に関するデータにより決定される視聴時間が前記字幕データを含むシーンの長さより小さい場合は前記字幕データを含むシーンを前記視聴時間に合わせるよう長くすることを特徴とする動画再生装置。
【発明の詳細な説明】
【技術分野】
【０００１】
本発明は、動画データを再生する動画再生装置に関する。
【背景技術】
【０００２】
近年、デジタルテレビ放送による動画データの多チャンネル放送化やネットワークの広帯域化により、多くの動画データを取得あるいは視聴可能となった。また、動画圧縮伸張技術の向上や、それを実現するハードウェア/ソフトウェアの低価格化、及び蓄積メディアの大容量化ならびにその低価格化により、多くの動画データの保存を手軽に行えるようになり、視聴可能な動画データが増加しつつある。
しかしながら、多忙な人にとっては、それら全ての動画データを視聴する時間は無く、結果として視聴可能な動画データが氾濫するといった状況になってきている。そこで、動画データにおける重要なシーンだけを視聴することにより、短時間で内容を理解する仕組みや、本当に視聴したい動画データを探し出せるようにすることが重要となる。このような状況に鑑み、例えば特許文献１では、動画データにおける重要なシーンを表示可能な技術が紹介されている。
【０００３】
【特許文献１】特開２００３−１５３１３９号公報
【発明の開示】
【発明が解決しようとする課題】
【０００４】
しかしながら、上記特許文献１では、動画データの内容を短時間で把握するための技術が提案されているが、動画データにおけるストーリー性を失わないように重要シーンをユーザに提示するといった着想及び構成は一切開示されていない。
【０００５】
本発明は、この課題を解決するものであり、動画データの内容のストーリー性を失わずに重要シーンを再生可能な動画再生装置を提供する。
【課題を解決するための手段】
【０００６】
上述の課題を解決すべく、例えば、動画データの台詞が喋られているような重要シーンだけを再生可能となるように、動画データに字幕情報が付加されているシーンを連続して再生するように当該動画データを再構成する。
これにより、ドラマ等で単なる風景を描写したシーンや単に役者等が動いているだけのシーンをカットでき、ドラマのストーリー性に大きな影響を与える台詞を役者等が発しているシーンが連続して再生されるため、ユーザはドラマのストーリー性を失わずに短縮して視聴でき使い勝手がよい。これは、多忙な現代人にとっては非常にメリットが大きい。
また、ユーザが希望する動画データの視聴時間を入力し、前記入力した視聴時間が前記重要シーンのデータに記述されている重要シーンの総和時間よりも小さい場合に、各重要シーンの長さを短くすることで、最終的に再生する再生シーンを決定し、視聴時間内に再生シーンの時間の総和が収まるようにする。また、逆に、ユーザが入力した視聴時間が前記重要シーンデータに記述されている重要シーンの総和時間よりも大きい場合に、各重要シーンの長さを長くすることで、最終的に再生する再生シーンを決定し、該視聴時間に再生シーンの時間の総和が近くなるようにする。
これにより、ユーザは、ドラマのストーリー性に失わずに視聴できるとともにユーザが所望する視聴時間に合致するように再生シーンを調整できるため更に使い勝手が向上する。
【発明の効果】
【０００７】
本発明によれば、動画データの再生を効率的に行うことができる動画再生装置及び動画再生方法を提供することができる。
【発明を実施するための最良の形態】
【０００８】
以下、本発明にかかる実施例について、図面を参照して説明する。
【０００９】
図１は、本実施例に係る動画再生装置のハードウェア構成の一例である。ここでは、動画再生装置として、主にPC(Personal Computer)を想定して説明するが、これに限定するものではない。動画データを再生できるものであれば、レコーダ、TV、携帯電話等であってもよい。例えば、デジタル放送を記録可能なTVやレコーダにおいては、後述する構成の他に、トランスポートストリーム（TS）を分離するためのデマルチプレクサやその分離されたデータを復号するためのデコーダなどを備えるようにすればよい。
また、動画データの具体例としては、ＨＤＤ(Hard Disk Drive)などに記録された映像、地上波として放送される地上波テレビ番組の映像、あるいは、インターネットを経由して配信される映像などが考えられるが、動画データであれば形式に拘らない。
【００１０】
図１に示す通り、本実施例に係る動画再生装置は、動画データ入力装置１００と、中央処理装置１０１と、入力装置１０２と、表示装置１０３と、音声出力装置１０４と、記憶装置１０５と、二次記憶装置１０６を有して構成される。そして、各装置は、バス１０７によって接続され、各装置間で、相互にデータの送受信が可能なように構成されている。
【００１１】
動画データ入力装置１００は、動画データを入力する。本動画データ入力装置１００は、例えば後述する記憶装置１０５あるいは二次記憶装置１０６に記憶されている動画データを読み込む装置としたり、テレビ放送等を受信する場合には、テレビのチューナユニットとして構成する。チューナユニットには、例えば、放送信号を復調する復調部と放送信号のチャンネルを選局する選局部などが含まれる。
【００１２】
また、ネットワーク経由で動画データを入力する場合には、本動画データ入力装置１００をLANカード等のネットワークカードとすることが出来る。
【００１３】
マイクロプロセッサを主体に構成されており、例えば、記憶手段や二次記憶手段に格納されているプログラムを実行したり、上述した各装置に対して各種の指示信号の出力を行う。
【００１４】
入力装置１０２は、例えば、リモコン、あるいはキーボードや、マウス等のポインティングデバイスによって実現され、利用者が後述するハイライト再生における再生シーン決定パラメタを入力可能とする。
【００１５】
表示装置１０３は、例えばディスプレイアダプタと液晶パネルやプロジェクタ等によって実現され、再生画像や後述する再生シーン決定パラメタの入力をGUI経由で実施する場合には、このGUIを表示する。なお、本GUIの一例については後で詳述する。
【００１６】
音声出力装置１０４は、例えばサウンドカードとスピーカ等によって実現され、音声データを出力する。
【００１７】
記憶装置１０５は、例えばランダムアクセスメモリ(RAM)やリードオンリーメモリ(ROM)等によって実現され、中央制御装置１０１によって処理されるデータ等を格納する。
【００１８】
二次記憶装置１０６は、例えばハードディスクやDVDあるいはCDとそれらのドライブ、あるいはフラッシュメモリ等の不揮発性メモリにより構成され、中央処理装置１０１によって実行されるプログラムや本動画再生装置において処理されるデータ、あるいは再生対象の動画データや重要シーンのデータ等を格納する。なお、本二次記憶装置１０６は、必ずしも必要ではない。
【００１９】
図２は、本実施例に係る動画再生装置の機能ブロック図である。これらの機能ブロックの一部あるいは全部は、図２で示したハードウェアに加えて、ハードウェアとして実現されてもよいが、中央処理装置１０１によって実行されるソフトウェアプログラムとして実現されてもよい。なお、以下では、一例として、これらの機能ブロックの全てが中央処理装置１０１によって実行されるソフトウェアプログラムであるものとして説明する。
【００２０】
図２に示す通り、動画再生装置は、解析動画データ入力部２０１と、特徴生成部２０２と、特徴データ保持部２１３と、特徴データ入力部２１４と、重要シーン生成部２０３と、重要シーンデータ保持部２１０と、重要シーンデータ入力部２１１と、再生動画データ入力部２１２と、再生シーン決定部２０４と、再生シーン決定パラメタ入力部２０５と、再生部２０６と、表示部２０８と、音声出力部２１５を有して構成される。
【００２１】
ただし、他の装置ですでに作成済みの重要シーンデータを使用するなど、重要シーンデータを本動画再生装置で生成しない場合には、必ずしも解析動画データ入力部２０１と、特徴生成部２０２と、特徴データ保持部２１３と、特徴データ入力部２１４と、重要シーン生成部２０３と、重要シーンデータ保持部２１０は必要ない。
【００２２】
また、他の装置ですでに作成済みの特徴データを使用するなど、特徴データを本動画再生装置で生成しない場合には、必ずしも解析動画データ入力部２０１と、特徴生成部２０２と、特徴データ保持部２１３は必要ない。
【００２３】
さて、図２において、解析動画データ入力部２０１は、後述する特徴データ及び重要シーンデータの生成対象の動画データを動画データ入力装置１００から入力する。
【００２４】
特徴生成部２０２は、解析動画データ入力部２０１において入力した動画データに付随する字幕情報の表示時刻を取得し、この表示時刻のテーブル（特徴データと呼ぶ）を生成する。
【００２５】
これは、例えば、デジタルテレビ放送では、音声のES（Elementary Stream）や映像のESと同様に字幕のESが送られてきているので、この字幕のESを取得、デコードする。デコード結果には、字幕として表示される文字列とそれが表示される時刻の情報が含まれているので、図３に示すように時刻の情報をテーブルに書き込むことによって実現できる。また、映画コンテンツ等のようにコンテンツ画面の上下又は左右に字幕スペースがあるコンテンツなどにおいては、その字幕スペースにおいて従来の文字認識、パターン認識の技術を用いて文字情報を抽出するようにしてもよい。
【００２６】
図３は、特徴データのデータ構造の一例である。図３において、３０１は、同時あるいは一度に表示される文字列の番号であり、３１１ないし３１３は、それぞれ一度に表示される字幕情報を示している。また、３０２は、その字幕の文字列が表示される時刻、３０３は、その時刻に表示される文字列を示している。ただし、表示される文字列３０３は、本実施例では必ずしも必要ない。
【００２７】
図２の説明に戻り、特徴データ保持部２１３は、特徴生成部２０２において生成した特徴データを保持する。これは、例えば特徴生成部２０２において生成した特徴データを記憶装置１０５あるいは二次記憶装置１０６に格納することによって実現できる。
【００２８】
特徴データ入力部２１４は、特徴データ保持部２１３において保持された特徴データ、あるいは他の装置などによって既に生成されている特徴データを入力する。これは、例えば記憶装置１０５あるいは二次記憶装置１０６に格納されている特徴データを読み出すことによって実現できる。
【００２９】
重要シーン生成部２０３は、重要シーンデータ入力／生成手段に相当し、特徴データ入力部２１４で入力した特徴データに基づいて、重要シーンを抽出する。これは、例えば、特徴データから図４に示すように字幕が表示されるシーンあるいは字幕が密集して表示される一連のシーンを重要シーンとして決定し、図５に示す重要シーンデータを生成することによって実現できる。
【００３０】
図４は、重要シーン抽出方法の一例を示す図である。図４において、９２０は特徴データから得られる字幕表示のタイムチャートであり、９０１ないし９１０は、字幕が表示されているタイミングを示している。また、９２２は、重要シーン生成部２０３において決定した重要シーンのタイムチャートであり、９１１ないし９１３は、重要シーン生成部２０３において決定した重要シーンを示している。図４に示すとおり、この例では、重要シーン生成部２０３は、字幕が密集して表示されるシーンから、重要シーン＃１として、２０秒目から８０秒目までを、重要シーン＃２として、１００秒目から１３０秒目までを、そして、重要シーン＃３として、１４５秒目から１７０秒目までを決定したことを示しており、重要シーン生成部２０３は、これに基づいて、図５に示す重要シーンデータを生成する。
【００３１】
図５は、重要シーンデータのデータ構造の一例である。図５において、５０１は、重要シーンの番号であり、５０４ないし５０６は、それぞれ重要シーンを示している。また、５０２は、その重要シーンの開始位置、５０３は、その重要シーンの終了位置である。なお、開始位置と終了位置は、それぞれ開始時間と終了時間とすればよい。
【００３２】
図２の説明に戻り、重要シーンデータ保持部２１０は、重要シーン生成部２０３において生成した重要シーンデータを保持する。これは、例えば重要シーン生成部２０３において生成した重要シーンデータを記憶装置１０５あるいは二次記憶装置１０６に格納することによって実現できる。ただし、重要シーン生成部２０３において生成した重要シーンデータが後述する再生シーン決定部２０４に直接読み込まれる場合には、本重要シーンデータ保持部２１０は必ずしも必要はない。
【００３３】
重要シーンデータ入力部２１１は、重要シーンデータ入力／生成手段に相当し、重要シーンデータ保持部２１０において保持された重要シーンデータ、あるいは他の装置などによって既に生成されている重要シーンデータを入力する。これは、例えば記憶装置１０５あるいは二次記憶装置１０６に格納されている重要シーンデータを読み出すことによって実現できる。ただし、重要シーン生成部２０３において生成した重要シーンデータが後述する再生シーン決定部２０４に直接読み込まれる場合には、本重要シーンデータ入力部２１１は必ずしも必要はない。
【００３４】
再生シーン決定パラメタ入力部２０５は、再生シーン決定パラメタ入力手段に相当し、入力装置１０２を介して、再生シーンを決定する際のパラメタを入力する。このパラメタとしては、例えば、対象コンテンツを視聴するのにユーザがかけることができる時間（所望視聴時間と呼ぶ）がある。これは、例えば図６に示す操作パネルから、ユーザが指定できる。
【００３５】
図６は、本実施例に係る動画再生装置のGUIの一例である。図６において、４０１は再生操作パネル、４０２は再生ボタン、４０３は所望視聴時間指定つまみ、４０４は所望視聴時間指定ボタン群、４０５は所望視聴時間指定ONボタン、４０６は所望視聴時間指定OFFボタン、４０７は再生モードインジケータである。
【００３６】
本再生操作パネルにおいて、例えば、利用者は再生ボタン４０２を押下して、動画データを選択することにより、動画データの再生を開始することができる。なお、動画データの選択については、図示はしないが、再生ボタンが押下されると、動画データを選択するメニューが現れるようにすればよい。
【００３７】
また、所望視聴時間指定ONボタン４０５を押下することにより、重要シーンの再生を開始することができる。一方、所望視聴時間指定OFFボタン４０６を押下することにより、通常再生に変更する。
【００３８】
なお、所望視聴時間指定ONボタン４０５と所望視聴時間指定OFFボタン４０６は二者択一となっており、所望視聴時間指定ONボタン４０５を押下した場合には重要シーンの再生となり、所望視聴時間指定OFFボタン４０６を押下した場合には通常再生となる。このとき、再生モードインジケータ４０７は、押下されたボタンの方に点灯されるようにするとよい。また、利用者は所望視聴時間指定つまみ４０３によって、重要シーンの再生における動画データの視聴時間を指定できる。
【００３９】
なお、本所望視聴時間指定つまみ４０３は、つまみを操作することにより設定する所望視聴時間が変わるようにし、設定された所望視聴時間がつまみの周辺等に表示されるように構成するとよい。図６では、一例として、設定された視聴時間がつまみの下に表示されるように構成している。
【００４０】
以上のGUIにおいては、再生シーン決定パラメタ入力部２０５は、所望視聴時間指定ONボタン４０５が押下された状態で、所望視聴時間指定つまみ４０３が操作された場合、あるいは所望視聴時間指定ONボタン４０５が押下されたタイミングで、所望視聴時間指定つまみ４０３によって指定されている所望視聴時間を取得する。
【００４１】
なお、所望視聴時間指定ONボタン４０５が押下されて、重要シーンの再生を開始する際には、重要シーンのみをすべて再生する場合の時間をデフォルトで表示すると共に設定されるように構成しても良い。
【００４２】
この場合、再生シーン決定パラメタ入力部２０５は、重要シーンデータのすべてのシーンの再生時間の合計を算出して表示するとともに、再生シーン決定パラメタ入力部２０５が、この重要シーンデータのすべてのシーンの再生時間の合計を所望視聴時間として取得するように構成すればよい。
【００４３】
図２の説明に戻り、再生シーン決定部２０４は、再生シーン決定手段に相当し、再生シーン決定パラメタ入力部２０５で入力したパラメタ及び、重要シーン生成部２０３で生成あるいは重要シーンデータ入力部２１１入力した重要シーンデータを元に再生シーンを決定し、再生シーンデータを生成する。
【００４４】
これは、例えば、再生シーン決定パラメタ入力部２０５で入力した所望視聴時間が、重要シーンデータのすべてのシーンの再生時間の合計と等しければ、すべての重要シーンを再生シーンとして決定し、再生シーン決定パラメタ入力部２０５で入力した所望視聴時間が、重要シーンデータのすべてのシーンの再生時間の合計よりも小さい場合には、合計が所望視聴時間に収まるように各重要シーンの長さを短くして、再生シーンとして決定する。また、再生シーン決定パラメタ入力部２０５で入力した所望視聴時間が、重要シーンデータのすべてのシーンの再生時間の合計よりも大きい場合には、合計が所望視聴時間に近づくように各重要シーンの長さを長くして、再生シーンとして決定する。
【００４５】
具体的には、重要シーンデータが図５の通りであり、所望視聴時間が１１５秒ならば、所望視聴時間が、重要シーンデータのすべてのシーンの再生時間の合計と等しいので、図７（ａ）に示すように、すべての重要シーンを再生シーンとして決定し、図８（ａ）に示す再生シーンデータを生成する。
【００４６】
また、重要シーンデータが図５の通りであり、所望視聴時間が９６秒ならば、所望視聴時間が、重要シーンデータのすべてのシーンの再生時間の合計よりも小さいので、図７（ｂ）に示すように、合計が所望視聴時間に収まるように各重要シーンの長さを短くして、再生シーンとして決定し、図８（ｂ）に示す再生シーンデータを生成する。このとき各シーンを短くする方法としては、例えば、シーンの長さの比率に応じて、短くさせればよい。
【００４７】
一方、重要シーンデータが図５の通りであり、所望視聴時間が１３４秒ならば、所望視聴時間が重要シーンデータのすべてのシーンの再生時間の合計よりも大きいので、図７（ｃ）に示すように、再生シーン決定部２０４が合計が所望視聴時間に近づくように各重要シーンの長さを長くして、再生シーンとして決定し、図８（ｃ）に示す再生シーンデータを生成する。
【００４８】
図７は、再生シーンの決定方法の一例である。図７（ａ）は、再生シーン決定パラメタ入力部２０５で入力した所望視聴時間が、重要シーンデータのすべてのシーンの再生時間の合計と等しい場合、図７（ｂ）は、再生シーン決定パラメタ入力部２０５で入力した所望視聴時間が、重要シーンデータのすべてのシーンの再生時間の合計よりも小さい場合、そして、（ｃ）は、再生シーン決定パラメタ入力部２０５で入力した所望視聴時間が、重要シーンデータのすべてのシーンの再生時間の合計よりも大きい場合の再生シーンの決定例を示している。
【００４９】
特に、図７（ａ）においては、７２２が、再生シーン決定部２０４において決定した再生シーンのタイムチャートであり、７１１ないし７１３が再生シーンを示している。なお、図７（ａ）で決定した再生シーンは、図４及び図５で示した重要シーンと同じであることがわかる。同様に、図７（ｂ）及び図７（ｃ）においては、７２２’および７２２‘’が、それぞれ再生シーン決定部２０４において決定した再生シーンのタイムチャートであり、７１１’ないし７１３’および７１１‘’ないし７１３‘’がそれぞれ再生シーンを示している。なお、図７（ｂ）および図７（ｃ）で決定した再生シーンは、図４及び図５で示した重要シーンに対して、（ｂ）では短くなっており、（ｃ）では長くなっていることがわかる。
【００５０】
図８は、再生シーンデータのデータ構造の一例である。また、図７で示した再生シーン決定方法の説明に対応した再生シーンデータを示している。図８において、６０１、６０１‘および６０１’‘は、再生シーンの番号であり、６０４ないし６０６、６０４’ないし６０６‘、および６０４’‘ないし６０６’‘は、それぞれ再生シーンを示している。また、６０２、６０２’、および６０２‘’は、その再生シーンの開始位置、６０３、６０３‘、および６０３’‘は、その重要シーンの終了位置である。
【００５１】
なお、開始位置と終了位置は、それぞれ開始時間と終了時間とすればよい。特に、図８において、（ａ）は、図７（ａ）に対応する再生シーンであり、（ｂ）および（ｃ）は、それぞれ図７（ｂ）および図７（ｃ）に対応する再生シーンデータを示している。
【００５２】
図２の説明に戻り、再生動画データ入力部２１２は、動画データ入力手段に相当し、再生対象の動画データを動画データ入力装置１００から入力する。
【００５３】
再生部２０６は、再生手段に相当し、再生シーン決定部２０４で決定した再生シーンの動画データを再生動画データ入力部２１２により入力し、再生画像及び再生音声を生成して表示部２０８および音声出力部２１５に出力することによって、再生シーンを再生する。これは、具体的には、例えば、図９に示す処理により実現できる。
【００５４】
図９は、再生部２０６の処理内容を説明するフローチャートである。
【００５５】
図９に示すとおり、再生部２０６は、まず、動画データにおける現在の再生位置を取得し（ステップ１１０１）、この現在の再生位置を元に、次の再生シーンの開始位置及び終了位置を取得する（ステップ１１０２）。これは、再生シーン決定部２０４で決定した再生シーンのうち、現在の再生位置よりも後で、かつ現在の再生位置に最も近い再生シーンの開始位置及び終了位置を取得することによって実現できる。
【００５６】
次に、ステップ１１０２で取得した次の再生シーンの開始位置へジャンプし（ステップ１１０３）、当該再生シーンの再生を行う（ステップ１１０４）。
【００５７】
これは、再生シーンにおける再生画像を表示部２０８を介して表示装置１０３への表示すること、及び再生シーンにおける再生音声を音声出力部部２１５を介して音声出力装置１０４への出力することにより実施される。
【００５８】
なお、同再生シーンの再生中、定期的に再生が終了したか否かを判断し（ステップ１１０５）、再生が終了した場合には動画データの再生を終了する。ここで、再生シーン決定部２０４で決定した再生シーンをすべて再生し終わった場合あるいは利用者から再生の終了が指示された場合に再生の終了と判断し、それ以外は再生シーンの再生を継続する。さらに、同再生シーンの再生中、定期的に現在の再生位置を取得し（ステップ１１０６）、当該再生シーンの終了位置に到達したか否かを判断する（ステップ１１０７）。
【００５９】
これは、ステップ１１０２で取得した再生シーンの終了位置とステップ１１０６で取得した現在の再生位置とを比較することで判断できる。さて、本ステップ１１０７における判断の結果、当該再生シーンの終了位置に到達していないと判断した場合には、ステップ１１０４乃至ステップ１１０７を繰り返し、当該再生シーンの再生を継続する。
【００６０】
一方、ステップ１１０７における判断の結果、当該再生シーンの終了位置に到達したと判断した場合には、ステップ１１０１乃至ステップ１１０７を繰り返すことにより、再生シーン決定部２４４で決定した再生シーンを順次再生し、再生シーン決定部２４４で決定したすべての再生シーンを再生し終わると、ステップ１１０５でそれを認識し、再生を終了する。これにより、各再生シーンにジャンプしつつ再生シーン決定部２０４で決定した再生シーンを順次再生可能となる。
【００６１】
さて、既に説明したとおり、図２において、表示部２０８は、表示手段に相当し、再生部２０６において生成された再生画像を表示装置１０３に表示する。また、音声出力部２１５は、再生部２０６において生成された再生音声を音声出力装置１０４に出力する。
【００６２】
以上により、短時間再生において、動画データの台詞が喋られているシーンを再生可能となるので、ストーリー性を失わずに短時間でコンテンツの内容を再生可能となる。
【図面の簡単な説明】
【００６３】
【図１】本発明の実施例に係る動画再生装置の機能ブロックをソフトウェアで実現する場合のハードウェア構成図の一例である。
【図２】本発明の実施例に係る動画再生装置の機能ブロック図の一例である。
【図３】本発明の実施例に係る特徴データのデータ構造の一例である。
【図４】本発明の実施例に係る重要シーン抽出方法の一例を示す図である。
【図５】本発明の実施例に係る重要シーンデータのデータ構造の一例である。
【図６】本発明の実施例に係る動画再生装置のGUIの一例である。
【図７】本発明の実施例に係る再生シーンの決定方法の一例である。
【図８】本発明の実施例に係る再生シーンデータのデータ構造の一例である。また、図７で示した再生シーン決定方法の説明に対応した再生シーンデータを示す。
【図９】本発明の実施例に係る再生部２０６の処理内容を説明するフローチャートである。
【符号の説明】
【００６４】
１００・・・動画データ入力装置、１０１・・・中央処理装置、１０２・・・入力装置、１０３・・・表示装置、１０４・・・音声出力装置、１０５・・・記憶装置、１０６・・・二次記憶装置、１０７・・・バス、２０１・・・動画解析動画データ入力部、２０２・・・特徴生成部、２０３・・・重要シーン生成部、２０４・・・再生シーン決定部、２０５・・・再生シーン決定パラメタ入力部、２０６・・・再生部、２０８・・・表示部、２１０・・・重要シーンデータ保持部、２１１・・・重要シーンデータ入力部、２１２・・・再生動画データ入力部、２１３・・・特徴データ保持部、２１４・・・特徴データ入力部、２１５・・・音声出力部
【図１】
2008053877.tif 000003
【図２】
2008053877.tif 000004
【図３】
2008053877.tif 000005
【図４】
2008053877.tif 000006
【図５】
2008053877.tif 000007
【図６】
2008053877.tif 000008
【図７】
2008053877.tif 000009
【図８】
2008053877.tif 000010
【図９】
2008053877.tif 000011